(57)【要約】  【課題】真空断熱容器内において、媒体に起因する対流による熱移動、熱リークが生じるため保温性能が低下することがある。また、全断熱部の断熱性能が一様であるため、場所により断熱部の性能に優劣をつけて断熱した場合と比較して断熱効率に劣る。  【解決手段】内側容器２により形成される保温室内部に熱流を抑制するように仕切り板４を設けることにより、熱リークが起こりやすい箇所へ、熱流が移動することを抑制し、熱リークを減少させる。また、開口部５周壁部と容器上壁部の交差部及び開口部５周壁の断熱材の断熱性能を、他部分に存在する断熱材の断熱性能よりも良くすることにより、熱リークが特に大きな部分の熱リークを抑制し、効率良く熱リークを減少、断熱性能を向上させることができる。【選択図】図１
2007016610.tif 000002
【特許請求の範囲】
【請求項１】
内部が保温室にされている内側容器と、前記内側容器から所定距離隔ててその外側を包囲するように設けられた外側容器と、前記内側容器と前記外側容器との間に形成された真空の断熱空間とからなり、前記保温室内部に熱流を抑制するように仕切り板を設けていることを特徴とする真空断熱容器。
【請求項２】
仕切り板が開口部近傍に設けられていることを特徴とする請求項１に記載の真空断熱容器。
【請求項３】
仕切り板の素材がプラスチックであることを特徴とする請求項１または２に記載の真空断熱容器。
【請求項４】
開口部周壁部と容器上壁部の交差部に存在する断熱材の断熱性能を他部分に存在する断熱材の断熱性能よりも良くしたことを特徴とする請求請１から３のいずれか一項に記載の真空断熱容器。
【請求項５】
開口部周壁部の断熱材の断熱性能を他部分に存在する断熱材の断熱性能よりも良くしたことを特徴とする請求請１から４のいずれか一項に記載の真空断熱容器。
【請求項６】
開口部周壁部と容器上壁部の交差部及び開口部周壁部近傍に吸着剤を設けたことを特徴とする請求項１から５のいずれか一項に記載の真空断熱容器。
【請求項７】
請求項１から６のいずれかに記載の真空断熱容器を自動車エンジン部の冷却水を保温するリザーバータンクとして使用したことを特徴とする自動車の蓄熱式暖気装置。
【発明の詳細な説明】
【技術分野】
【０００１】
本発明は、真空断熱容器と真空断熱容器を冷却水保温用のリザーバータンクとして適用した蓄熱式暖気装置に関するものである。
【背景技術】
【０００２】
断熱容器には、いわゆる魔法瓶のように、内側容器と外側容器との間に真空の断熱空間を設けた構造のものがある。この種の真空断熱容器では、断熱空間の真空度が断熱性能に大きな影響を与える。また、このように真空の断熱空間を有する真空断熱容器は、強度の面から形状に制約があり、円筒形状等の単純な形状が一般的である。
【０００３】
また、低い真空度で断熱性能を確保するために、前記断熱空間に微粒状シリカなどの断熱材を充填し、また、容器の機械強度を強めるために、内側容器と外側容器の間に支持体を設けた真空断熱容器も提案されている（特許文献１参照）。
【特許文献１】特開２００１−１２８８６０号公報
【発明の開示】
【発明が解決しようとする課題】
【０００４】
しかしながら、上記従来の構成は、保温室内の流体が自由自在に流動することが可能となるため、熱リークの起こりやすい箇所に流体が移動し易く、熱流による熱リークが起こりやすい。
【０００５】
従って、容器内の媒体の保温性能を維持し難い。
【０００６】
また、全断熱部の断熱性能が一様であるため、場所により断熱部の性能に優劣をつけて効率良く断熱する必要がある。
【０００７】
本発明は、上記従来の課題に鑑み、保温室の保温性能を向上させた真空断熱容器を提供することを目的とする。
【課題を解決するための手段】
【０００８】
上記目的を達成するために、本発明の真空断熱容器は、内部が保温室にされている内側容器と、前記内側容器から所定距離隔ててその外側を包囲するように設けられた外側容器と、前記内側容器と前記外側容器との間に形成された真空の断熱空間とからなり、前記保温室内部に熱流を抑制するように仕切り板を設けていることを特徴としたものである。
【０００９】
これによって、熱リークが起こりやすい箇所へ、対流により熱が移動することを抑制し、熱リークを減少させることができる。
【００１０】
また、本発明の真空断熱容器は、仕切り板を熱流が起こりやすい開口部近傍に設けることを特徴としたものである。
【００１１】
これによって、特に熱流による熱リークが起こりやすい開口部に熱流が移動することを抑制し、効率良く熱リークを減少させることができる。
【００１２】
また、本発明の真空断熱容器は、開口部周壁部と容器上壁部の交差部及び開口部周壁の断熱材の断熱性能を、他部分に存在する断熱材の断熱性能よりも良くしたことを特徴としたものである。
【００１３】
これによって、熱リークが特に大きな部分の熱リークを抑制するため、他断熱部の断熱性能を良くする場合よりも効率良く熱リークを減少させることができる。
【発明の効果】
【００１４】
本発明の真空断熱容器は、保温室内において、熱リークが起こりやすい箇所へ熱流が移動することを抑制し、保温効果を向上させることができる。
【００１５】
また、本発明の真空断熱容器は、内側容器から外側容器への熱リークを効率良く抑制し、保温室の保温性能を向上させることができる。
【発明を実施するための最良の形態】
【００１６】
請求項１に記載の真空断熱容器の発明は、内部が保温室にされている内側容器と、前記内側容器から所定距離隔ててその外側を包囲するように設けられた外側容器と、前記内側容器と前記外側容器との間に形成された真空の断熱空間とからなり、前記保温室内部に熱流を抑制するように仕切り板を設けているものであり、熱リークが起こりやすい箇所へ、対流により熱が移動することを抑制し、熱リークを減少させることが可能となるため、真空断熱容器の保温性能を向上させることができる。
【００１７】
請求項２に記載の真空断熱容器の発明は、請求項１に記載の発明における仕切り板が開口部近傍に設けられているものであり、特に熱流による熱リークが起こりやすい開口部に熱流が移動することを抑制し、効率良く熱リークを減少させることが可能となるため、効率良く真空断熱容器の保温性能を向上させることができる。
【００１８】
請求項３に記載の真空断熱容器の発明は、請求項１または２に記載の発明における仕切り板の素材がプラスチックであるものであり、金属を使用する場合よりも仕切り板を伝導する熱を抑制し、保温室内媒体の内容器への熱伝導を抑制し、内容器から外容器への熱リークを減少させることができる。また、仕切り板を通過する熱を抑制することができるため、対流による熱の移動を減少させ、熱流による熱リークを抑制することができる。従って、真空断熱容器の保温性能を更に向上させることができる。
【００１９】
請求項４に記載の真空断熱容器の発明は、請求項１から３のいずれか一項に記載の発明において、開口部周壁部と容器上壁部の交差部に存在する断熱材の断熱性能を他部分に存在する断熱材の断熱性能よりも良くしたものであり、熱リークが特に大きな開口部と容器部上壁部との接合部からの熱リークを抑制することができるため、他断熱部の断熱性能を良くする場合よりも効率良く熱リークを減少させることができる。従って、真空断熱容器の保温性能を効率良く向上させることができる。
【００２０】
請求項５に記載の真空断熱容器の発明は、請求項１から４のいずれか一項に記載の発明において、開口部周壁部の断熱材の断熱性能を他部分に存在する断熱材の断熱性能よりも良くしたものであり、熱リークが特に大きな開口部内壁から開口部外壁への熱リークを抑制することができるため、他断熱部の断熱性能を良くする場合よりも効率良く熱リークを減少させることができる。従って、真空断熱容器の保温性能を効率良く向上させることができる。
【００２１】
請求項６に記載の真空断熱容器の発明は、請求項１から５のいずれか一項に記載の発明において、開口部周壁部と容器上壁部の交差部及び開口部周壁部近傍に吸着剤を設けたものであり、開口部周壁部と容器上壁部の交差部及び開口部周壁部近傍の断熱部においての、空気侵入による気体熱伝導率の増加を抑制し、その部分の経時的な断熱性能の劣化を抑制することができる。従って、経時的な断熱性能の低下による熱リークを抑制し、真空断熱容器の経時的な保温性能を向上させることができる。
【００２２】
請求項７に記載の自動車の蓄熱式暖気装置の発明は、請求項１から６のいずれかに記載の真空断熱容器を自動車エンジン部の冷却水を保温するリザーバータンクとして使用したものであり、エンジン始動時に冷却水を所定の温度まで温め易くすることができるため、自動車の燃費を向上させることができる。
【００２３】
以下、本発明の実施の形態について、図面を参照しながら説明するが、従来例または従来に説明した実施の形態と同一構成については同一符号を付して、その詳細な説明は省略する。なお、この実施の形態によってこの発明が限定されるものではない。
【００２４】
（実施の形態１）
図１は、本発明の実施の形態１における真空断熱容器の断面図である。
【００２５】
図１において、真空断熱容器１は、内側容器２、外側容器３、内側容器２内部の媒体の対流を抑制するための仕切り板４、開口部５とからなり、内側容器２と外側容器３の間の空間に粉体６を充填し内部を減圧密封した容器である。内側容器２と外側容器３は、プラスチックまたは金属からなり、内側容器と外側容器の素材は同等でないこともあり得る。
【００２６】
プラスチックの例としては、例えばポリエチレン、ポリプロピレン、ポリスチレン、アクリロニトリルスチレン樹脂、アクリロニトリルブタジエンスチレン樹脂、メタクリル樹脂、塩化ビニル、ポリアミド、ポリアセタール、ポリエチレンテレフタレート、ポリブチレンテレフタレート、ポリメチルペンテン、ポリカーボネイト、ポリフェニレンエーテル、ポリフェニレンサルファイド、ポリエーテルエーテルケトン、ポリテトラフロロエチレン、ポリエーテルイミド、ポリアリレート、ポリサルフォン、ポリエーテルサルフォン、ポリアミドイミド、フェノ−ル樹脂、尿素樹脂、メラミン樹脂、不飽和ポリエステル樹脂、アルキド樹脂、エポキシ樹脂、ジアリルフタレート樹脂等が上げられる。又、金属の例としては例えば、アルミニウム、ステンレス、銅、ニッケル、コバルト等が挙げられる。
【００２７】
また、開口部５はプラスチックまたはゴムで構成されている。
【００２８】
また、粉体６は二種類以上の粉体を混合し、嵩密度が０．０４０〜０．０６５ｇ／ｃｍ3とした混合粉からなる。二種類以上の粉体を混合することにより、粒間の空隙径を更に小さくする相乗効果を持たせることにより、気体熱伝導率を低減させ、断熱性能を向上させている。この時内側容器と外側容器間への充填密度は０．０２〜０．５ｇ／ｃｍ3とした方がより望ましい。
【００２９】
また、仕切り板４はプラスチック又は金属から構成されていて、例としては、内側容器及び外側容器の素材で前記したものと同様とする。
【００３０】
このように構成された、真空断熱容器1は、熱流を抑制するように仕切り板４を設けることにより、対流により熱が移動することを抑制し、熱リークを減少させることが可能となるため、真空断熱容器の保温性能を向上させることができる。
【００３１】
また、本実施の形態では仕切り板４を開口部５近傍に設けることにより、特に熱流による熱リークが起こりやすい開口部に熱流が移動することを抑制し、熱リークを抑え、真空断熱容器の保温性能を更に効率良く向上させることができる。
【００３２】
（実施の形態２）
図２は、本発明の実施の形態２における真空断熱容器の断面図である。
【００３３】
図２において、真空断熱容器１の仕切り板は、プラスチック７の素材を適用している。プラスチックの例としては、例えばポリエチレン、ポリプロピレン、ポリスチレン、アクリロニトリルスチレン樹脂、アクリロニトリルブタジエンスチレン樹脂、メタクリル樹脂、塩化ビニル、ポリアミド、ポリアセタール、ポリエチレンテレフタレート、ポリブチレンテレフタレート、ポリメチルペンテン、ポリカーボネイト、ポリフェニレンエーテル、ポリフェニレンサルファイド、ポリエーテルエーテルケトン、ポリテトラフロロエチレン、ポリエーテルイミド、ポリアリレート、ポリサルフォン、ポリエーテルサルフォン、ポリアミドイミド、フェノ−ル樹脂、尿素樹脂、メラミン樹脂、不飽和ポリエステル樹脂、アルキド樹脂、エポキシ樹脂、ジアリルフタレート樹脂等が挙げられる。
【００３４】
このように構成された真空断熱容器１は、仕切り板の素材をプラスチック７とすることにより、金属を使用する場合よりも仕切り板を伝導する熱を抑制し、保温室内媒体の内容器への熱伝導を抑制し、内容器から外容器への熱リークを減少させることができる。また、仕切り板を通過する熱を抑制することができるため、対流による熱の移動を減少させ、熱流による熱リークを抑制することができる。従って、真空断熱容器の保温性能を更に向上させることができる。
【００３５】
（実施の形態３）
図３は、本発明の実施の形態３における真空断熱容器の断面図である。
【００３６】
図３において、真空断熱容器１は、開口部周壁部と容器上壁部の交差部に存在する断熱材８の断熱性能を他部分に存在する断熱材の断熱性能よりも良くすることにより、熱リークが特に大きな開口部と容器部との接合部の熱リークを抑制することができるため、他断熱部の断熱性能を良くする場合よりも効率良く熱リークを減少させることができる。従って、真空断熱容器の保温性能を効率良く向上させることができる。
【００３７】
（実施の形態４）
図４は、本発明の実施の形態４における真空断熱容器の断面図である。
【００３８】
図４において、真空断熱容器１は、開口部周壁部の断熱材９の断熱性能を他部分に存在する断熱材の断熱性能よりも良くすることにより、熱リークが特に大きな開口部内壁から開口部外壁への熱リークを抑制することができるため、他断熱部の断熱性能を良くする場合よりも効率良く熱リークを減少させることができる。従って、真空断熱容器の保温性能を効率良く向上させることができる。
【００３９】
（実施の形態５）
図５は、本発明の実施の形態５における真空断熱容器の断面図である。
【００４０】
図５において、真空断熱容器１は、開口部周壁部と容器上壁部の交差部及び開口部周壁部近傍に吸着剤を設けることにより、開口部周壁部と容器上壁部の交差部及び開口部周壁部近傍の断熱部においての、空気侵入による気体熱伝導率の増加を抑制し、その部分の経時的な断熱性能の劣化を抑制することができる。従って、経時的な断熱性能の低下による熱リークを抑制し、真空断熱容器の経時的な保温性能を向上させることができる。
【００４１】
（実施の形態６）
図６は、本発明の実施の形態６における自動車の蓄熱式暖気装置を示す。
【００４２】
図６において、蓄熱式暖気装置１１は、冷却水回路１２を通じて、エンジン１３で温められた冷却水がラジエーター１４で冷却され、再びエンジン１３に戻る循環経路である。また、エンジン始動時の冷却水が温まってない場合は、サーモスタット１５が全閉されており、冷却水は放熱作用のあるラジエーター１４を介さず、バイパス流路１６を通り循環し冷却水の昇温を早める。
【００４３】
また、自動車連続走行中、冷却水回路１２の温まっている冷却水を、流量制御弁１９を切り替え入口パイプ１７からリザーバータンクと称する真空断熱容器１に流入させ保温しておく。その後エンジン始動時に流動制御弁１９を切り替え出口パイプ１８から、冷却水回路に流出させ、冷却水に混合し冷却水の昇温を早める。従ってエンジン始動時の車の燃費を向上させることができる。
【産業上の利用可能性】
【００４４】
以上のように、本発明にかかる真空断熱容器は、保温室内において、熱リークが起こりやすい箇所へ熱流が移動することによる保温性能の低下、及び、内側容器から外側容器への熱リークによる断熱性能の低下を効率良く抑制し、保温室の保温性能を向上させることが可能となるので、保冷、保温を必要とする多方面な用途に、効率良く真空断熱容器を使用することができる。
【図面の簡単な説明】
【００４５】
【図１】本発明の実施の形態１における真空断熱容器の断面図
【図２】本発明の実施の形態２における真空断熱容器の断面図
【図３】本発明の実施の形態３における真空断熱容器の断面図
【図４】本発明の実施の形態４における真空断熱容器の断面図
【図５】本発明の実施の形態５における真空断熱容器の断面図
【図６】本発明の実施の形態６における蓄熱式暖気装置の概略図
【符号の説明】
【００４６】
１    真空断熱容器
２    内側容器
３    外側容器
４    仕切り板
５    開口部
７    プラスチック
８    断熱材
９    断熱材
１０  吸着剤
１１  蓄熱式暖気装置
１３  エンジン
【図１】
2007016610.tif 000003
【図２】
2007016610.tif 000004
【図３】
2007016610.tif 000005
【図４】
2007016610.tif 000006
【図５】
2007016610.tif 000007
【図６】
2007016610.tif 000008